(57)【要約】【課題】シート材に孔を開けることなく簡便に張設でき、かつ破損しにくく、弛緩しにくいシート材張設具を提供する。【解決手段】シート材（１６）を挟着して係合する少なくとも２つの部材（２、３）を有し、該部材（２、３）は互いに係合する２以上の凹凸係合部（５ａ、６ａ、１０ｂ、１１ｂ等）兼シート材挟着部を有し、シート材（１６）の引張り圧を受けて一方の部材（３）がシート引出方向に押圧されると同時に、該押圧によって少なくとも一の凹凸係合部（６ａ、１１ｂ等）が圧接する構成を有してなるシート材張設具（１）とする。【選択図】    図２
2005055555.tif 000002
【特許請求の範囲】
【請求項１】
シート材を挟着して係合する少なくとも２つの部材を有し、該部材は互いに係合する２以上の凹凸係合部兼シート材挟着部を有し、シート材の引張り圧を受けて一方の部材がシート引出方向に押圧されると同時に、該押圧によって少なくとも一の凹凸係合部が圧接する構成を有してなるシート材張設具。
【請求項２】
枠体に外側開口して形成された固定溝内に嵌入するとともに、一の部材のシート材非挟着部を固定溝の底側にボルトを介して固着するようにしてなる請求項１に記載のシート材張設具。
【請求項３】
一の部材は、その一側面にボルト固着部を形成し、反対側面にシート材挟着部を形成し、この挟着部は上記反対方向に係止片を突設させ、係止片先端部に突設方向と交差方向への係止突条を設け、元部に同方向に凹んだ係止溝を設けて形成し、これに係合する部材は、上記挟着部に係合するシート材挟着部を形成し、この挟着部は先端部に上記係止溝に係合する係止突条を設け、元部に前記係止突条を受ける係止溝を設けた係止片を形成してなる構成を有する請求項１又は２に記載のシート材張設具。
【請求項４】
係止突条と係止溝を有した係止片を二列状に並設してなる構成を有する請求項３に記載のシート材張設具。
【請求項５】
一の部材は、板状基面の一端部を折返し縁としてその内側に係止溝を形成し、他端部を上記同形係止溝内に突入可能な突縁状の係止突条として形成してなり、これと係合する対の部材は、反転同構成の部材としてなる構成を有する請求項１に記載のシート材張設具。
【請求項６】
枠体に外側開口して形成された固定溝内に嵌入し、固定溝の底側にボルトを介して固定する固定部を一側面に形成し、その反対側面にその突設方向に対して交差方向に開口した取付溝を形成した取付部材を介在させ、上記取付溝内にシート材挟着状態で嵌合させ、取付溝内側に係止させるようにしてなる構成を有する請求項５に記載のシート材張設具。
【発明の詳細な説明】
【技術分野】
【０００１】
本発明は、枠体例えば照明カバーの枠体に透光性等を有するシート材を張設する際に使用するシート材張設具に関する。
【背景技術】
【０００２】
天井面等を全面一体型の照明とした照明天井は多くの建造物で見られるところである。この照明天井は、例えば、基礎天井に蛍光灯を配し、その下側を光拡散シート等のシート材を張設した枠体でカバーしたものである。
また、広告等の表示を施したシート材を枠体に張設した表示体を壁面等に装着して、看板等としても用いられている。
これらにおいて、シート材を枠体に張設するには、従来は、シート材端部をねじや釘等で枠材に固定し、その上に係止部材を被着していた。例えば、図１０に示すように、フレーム１００の外周に設けた取付溝１０１内にシート材１０２を釘１０３等により固定してから、取付溝１０１に弾性を有する掛止部材１０４を圧入してシート材１０２を張設する方法がある（特許文献１参照）。
これに対し、釘等を使わない方法として、図１１に示すように、枠体１１０に固定するための支持部材１１１設け、支持部材１１１にシート材１１２を挟持するためのU型溝部１１３を設けた把持部材１１４をボルト１１５で取付け、U型溝部１１３にシート材１１２の縁端部とともに断面逆L型のバー１１６を嵌合して張設する方法が開示されている。この場合には、シート材１１２が下方に引かれると、バー１１６が把持部材１１４に押え付けられ、より強くシート材１１２が挟持されるとされている（特許文献２参照）。
【０００３】
【特許文献１】特開平９−１６７５１０号公報
【特許文献２】特開平６−５１７０４号公報
【発明の開示】
【発明が解決しようとする課題】
【０００４】
前者のシート材張設方法では、シート材をフレームの取付溝１０１に掛止部材１０４を圧入して取り付けてあるため、シート材に大きな張力がかかった場合は、掛止部材が外れてしまうおそれが多分にあり、さらには、釘１０３部分のシート材に張力が加わると、釘によってシート材が簡単に引き裂かれてしまうおそれがあった。
後者の張設方法では、一方向、つまり図１１では下方にシート材が引かれた場合のみシート材を挟持することができる構成が示されているものであり、他方向にシート材を引く構造に適用することはできないものである。また、バー１１６を溝部１１３内に没入させたい構造にも適用できない。しかも、バー１１６が溝部１１３に対して僅かにでも緩んだ瞬間にシート材は抜け外れてしまうおそれがあり、シート材の引き抜けに対する反作用の構成が採用されているともいえないものである。
本発明は、上記問題点を改善して、シート材に孔を開けることなく簡便に張設でき、破損しにくく、弛緩しにくいシート材張設具を提供せんとするものである。
【課題を解決するための手段】
【０００５】
上記課題を解決するために、本発明は、シート材を挟着して係合する少なくとも２つの部材を有し、該部材は互いに係合する２以上の凹凸係合部兼シート材挟着部を有し、シート材の引張り圧を受けて一方の部材がシート引出方向に押圧されると同時に、該押圧によって少なくとも一の凹凸係合部が圧接する構成を有してシート材張設具となしたことを特徴とする。
このシート材張設具は、枠体例えば照明カバーの枠体に外側開口して形成された固定溝内に嵌入するとともに、一の部材のシート材非挟着部を固定溝の底側にボルトを介して固着するように構成するのが好ましい。
また、上記係合する部材の内、一の部材は、その一側面にボルト固着部を形成し、反対側面にシート材挟着部を形成し、この挟着部は上記反対方向に係止片を突設させ、係止片先端部に突設方向と交差方向への係止突条を設け、元部に同方向に凹んだ係止溝を設けて形成し、これに係合する部材は、上記挟着部に係合するシート材挟着部を形成し、この挟着部は先端部に上記係止溝に係合する係止突条を設け、元部に前記係止突条を受ける係止溝を設けた係止片を形成してなる構成とすることができる。
上記係止突条と係止溝を有した係止片は二列状に並設することができる。
【０００６】
またさらに、上記係合する部材の内、一の部材は、板状基面の一端部を折返し縁としてその内側に係止溝を形成し、他端部を上記同形係止溝内に突入可能な突縁状の係止突条として形成してなり、これと係合する対の部材は、反転同構成の部材としてなる構成とすることもできる。
この場合のシート材張設具は、枠体に外側開口して形成された固定溝内に嵌入し、固定溝の底側にボルトを介して固定する固定部を一側面に形成し、その反対側面にその突設方向に対して交差方向に開口した取付溝を形成してなる取付部材を介在させ、上記取付溝内にシート材挟着状態で嵌合させ、取付溝内側に係止させるように構成するのが好ましい。
【発明の効果】
【０００７】
本発明のシート材張設具によれば、シート材を挟持して張設することができるので、シート材に孔を開ける必要がなく、シート材に張力等の外圧が加わっても裂断のおそれがない。また、取付け位置が狂った場合でも損傷なく簡単に再張設することができる。またシート材に張力が加わるとシート材を挟着して係合した部材同士に圧接作用力が働くので、より強固な挟着がなされ、シート材が弛むことがなく、さらに、シート材に加わる張力は係合し合う部材に分散されるので、係合状態が安定的であり、係合部材が破損しにくくなり、張設作業も簡便かつ確実に行い得る。
【発明を実施するための最良の形態】
【０００８】
以下、図面を用いて本発明の実施形態を説明する。
図１〜図４は本発明の第一の実施形態を示しており、図１はシート材張設具と枠体を分解状態で示した部分斜視図、図２は図１のシート材張設具の固定状態を示した側断面図、図３はシート材張設具のシート材挟着手順を示した側断面図、図４はシート材張設状態を示した概略斜視図である。
【０００９】
本発明の第一実施形態のシート材張設具１は、係止部材２及び係合部材３を備えたものである。
係止部材２は、適宜長さの型材の一側面にボルト頭を嵌合させて溝口から型材外側方にボルト７のネジ部７ａを突出できるようにしたリップ溝状のボルト頭挟持部４を形成し、その反対側面に凹凸係合部となる係止溝５a、５b及び係止突条６a、６bを形成してある。なお、上記ボルト７は、ナットの締め付け状態に応じて係止部材２の固定位置を変位調整できるように、適当な長さを有したものを用いるのがよい。
上記凹凸係合部は、ボルト頭挟持部４の反対側に上方係止片８及び下方係止片９を並行状に突設し、各係止片８、９の先端部下側に、突起方向と交差方向に膨出した係止突条６a、６bを形成し、元部の同方向に凹陥した係止溝５a、５bを形成し、両突起と溝とが蟻結合可能形状となるように、両者を区画する内方側面８a、９aを内向き傾斜面として形成するとともに、上記係止突条６a、６bと係止溝５a、５bは、互いに上下反転し左右対向させた対称的部材同士で嵌合可能なように凹凸対応形状として形成し、かつ、上方及び下方係止片８、９間に、係止片９を上下反転し左右対向させた対称的部材を差込み嵌合可能な間隔を置いて形成してある。
なお、説明における上下左右等の方向表示は図示状態においての説明であり、設置状態の向きが変わればそれに対応して方向表示も変わるので、この表示自体は本発明を限定するものではない。このことは本発明に係るすべての説明に共通するものである。
【００１０】
係合部材３は、上記係止部材２と同形のものを上下反転し左右対向させた対称的構成としてあり、係止部材２の係止溝５a、５b、係止突条６a、６bと対称同形の係合溝１０a、１０b、係合突条１１a、１１bを有し、上方係止片８、下方係止片９と対称同形の下方係合片１２及び上方係合片１３を有している。
上記構成においては、係止部材２と係合部材３を係合させた際に、係合した部材の上下面は略面一の平面状となるように全体形を設定するのが望ましい。
【００１１】
シート材張設具１を装着する枠体１４は、下面にシート材を張設するための囲い形を有してなり、内側を下方拡開傾斜面１４bとした断面略直角三角形状の枠部１４aを下部に設け、その上面１４cの内側寄り部位から垂直上方に枠方向の連結面１４dを突設し、さらに連結面１４dの中間部から外側方に固定片１４eを突設し、上面１４cと固定片１４eとの間に、シート材１６を挟着して係合した係止部材２と係合部材３を埋没状態に嵌入可能な固定溝１５を形成し、固定溝の底面１５aに適宜間隔で横長状のボルト貫通孔１５bを設けた構成としてある。なお、係合した係止部材２と係合部材３の上下幅は固定溝１５に若干の幅とりを持って嵌入できる大きさに設定してあるのが好ましい。シート材１６は枠部１４aに巻き付けることができればよく、上記枠体の構成は適宜に変更が可能である。
【００１２】
シート材１６は、枠体１４に張設可能な例えば略矩形材であり、適度な透孔性と適度な半乃至非透過性（隠蔽性）を有する光拡散性シートとし、適度な柔軟性、耐屈曲性を持つものが好ましい。例えば、透光性の無機質繊維クロスに耐熱透光性樹脂シートを貼着してなる積層シートは、耐熱性、不燃性、防汚性が優れている。無機質繊維クロスとしてはガラス繊維クロスを、耐熱透光性樹脂シートとしてはフッ素樹脂・テフロン（登録商標）樹脂・シリコン樹脂などを使用することができる。
なお、上記シート材は、照明装置カバー材として用いる場合の例示であり、広告等に用いる場合はさらに適宜形状、材質のものを用いることができる。
【００１３】
上記第一実施形態のシート材張設具１を使用したシート材の張設は次のようにして行うのがよい。
図３（Ａ）に示すように、係止部材２の上方係止片８及び下方係止片９と、係合部材３の下方係合片１２及び上方係合片１３とを対向させ、その間に下方から上方にシート材１６の端部を介在させ、その状態で同（Ｂ）の如く、両係止片，係合片を係合させ、同（Ｃ）の如く、上方係止片８と上方係合片１３とを、また下方係止片９と下方係合片１２とを噛み合わせれば、シート材１６は両部材に挟持される。このようにして、シート材１６の各四辺部には適宜箇所或いは略全長に亘ってシート材張設具１を取付けることができる。
シート材の一辺に取付けたシート材張設具１は、係止部材２のボルト頭挟持部４にボルト７を挿着しておいて、枠体１４の固定溝１５内に嵌入させ、底面１５aの貫通孔１５bにボルトを通し、ナット１７で締め付ければよい。係止部材２はボルト、ナットによって固定溝１５の底部に固定され、係合部材３は並設した上下係合片１２、１３が上下係止片８、９に係合してシート材１６の一端部を保持する。
【００１４】
次いで、シート材１６の対向端部を引張りつつ、該端部に取付けたシート材張設具１を上記と同様にして枠体１４の対向辺の固定溝１５に固着すればよい。ボルトナットの締め付け程度に応じて張設したシート材の緊張状態を調整することができる。
シート材１６に付加された張力は、図２において、シート材を照明面方向すなわち固定溝１５の外側方向（開口方向）に引張るように作用し、シート材が巻き付いている係合部材３の下方係合片１２を固定溝外側方向に引張るように作用するので、該係合片１２は、係合している下方係止片９が枠体１４に固定されているため、これにより一層強く係合し、内方側面９a部分を中心にしてシート材が一層強く挟着されることになる。シート材１６は係合突条１１aと係止溝５b、及び係合溝１０aと係止突条６bの２箇所の凹凸係合部に巻き付いているので抜け難く、さらに加えて上下係合片１２、１３と上下係止片８、９の両係合部に巻き付いているので、挟着状態が一層安定し、引き抜けるおそれがない。
なお、シート材１６の張設方向が固定溝１５から外において上下或いは外方いずれの方向に向いたとしても上記挟着作用は同様に発揮される。
次いで、シート材の残りの対向二辺も順次上記同様にして張設すれば、図４の如くシート材の張設が完了する。このようにしてなるシート材を張設した枠体を照明カバーとして天井等に吊り下げるときは、連結面１４dを天井等から吊り下げたワイヤー等に固定すればよく、この設置方法は任意である。
【００１５】
次に、上記と異なる本発明の一態様である第二実施形態のシート材張設具について説明する。
図５（Ａ）はシート材張設具の概略斜視図、同（Ｂ）はシート材張設具を枠体に固定した状態を示した概略断面図である。
【００１６】
このシート材張設具２１は、係止部材２２及び係合部材２３を備えたものである。
係止部材２２は、第一実施形態と同様に、適宜長さの型材の一側面にボルト頭を嵌合させて溝口から型材外側方にボルト７のネジ部７ａを突出できるようにしたリップ溝状のボルト頭挟持部２４を形成し、その反対側面に凹凸係合部となる係止溝２５a、２５b及び係止突条２６a、２６bを形成してある。
上記凹凸係合部は、ボルト頭挟持部２４の反対側に上方係止片２８及び下方係止片２９を並行状に突設し、各係止片２８、２９の先端部下側に、突起方向と交差方向に膨出した係止突条２６a、２６bを形成し、元部の同方向に凹陥した係止溝２５a、２５bを形成し、このうち係止溝２５a及び係止突条２６bを断面略半円状に形成し、係止溝２５ｂ及び係止突条２６ａを断面角形状に形成してある。上記係止突条２６a、２６bと係止溝２５a、２５bは、互いに上下反転し左右対向させた対称的部材同士で嵌合可能なように凹凸対応形状として形成し、かつ、上方及び下方係止片２８、２９間に、係止片２９を上下反転し左右対向させた対称的部材を差込み嵌合可能な間隔を置いて形成してある。
【００１７】
係合部材２３も同様に、上記係止部材２２と同形のものを上下反転し左右対向させた対称的構成をしてあり、係止部材２２の係止溝２５a、２５b、係止突条２６a、２６bに対応する係合溝３０a、３０b、係合突条３１a、３１bを有し、上方係止片２８、下方係止片２９に対応する下方係合片３２及び上方係合片３３を有している。
【００１８】
上記シート材張設具２１を使用してシート材１６を張設するには、第一実施態様の場合と同様に行えばよい。シート材１６の対向端部及び他の対向端部の固定も同様である。
この際、シート材１６に付加された張力は、図５（Ｂ）において、シート材を照明面方向すなわち固定溝１５の外側方向（開口方向）に引張るように作用し、シート材が巻き付いている係合部材２３の下方係合片３２を固定溝外側方向に引張るように作用するので、該係合片３２は、係合している下方係止片２９が枠体１４に固定されているため、これにより一層強く係合し、内方側面２９a部分を中心にしてシート材が一層強く挟着されることになる。シート材１６は係合突条３１bと係止溝２５b、及び係合溝３０bと係止突条２６bの２箇所の凹凸係合部に巻き付いているので抜け難く、さらに加えて上下係合片３２、３３と上下係止片２８、２９の両係合部に巻き付いているので、挟着状態が一層安定し、引き抜けるおそれがない。
【００１９】
本発明の第三実施形態のシート材張設具について説明する。
図６（Ａ）は、本発明の第三実施形態のシート材張設具の概略斜視図、図６（Ｂ）は、（Ａ）のシート材張設具を枠体に固定した状態を示した概略断面図である。
【００２０】
このシート材張設具４１は、係止部材４２及び係合部材４３を備えたものである。
係止部材４２は、適宜長さの型材の一側面にボルト頭を嵌合させて溝口から型材外側方にボルト７のネジ部７ａを突出できるようにした第一実施例と同様なリップ溝状のボルト頭挟持部４４を形成し、その反対側面上部に、係止片４７を突設し、係止片４７の先端部下側に、突起方向と交差方向に膨出した係止突条４６を形成し、元部の同方向に凹陥した係止溝４５を形成し、この係止溝４５は元部方向に若干長い断面略長円状の溝型をし、下側元端部側に若干突出した係止突部４７ｂを設け、下側先端寄り部分を溝口として開口してなり、後述する係合部材４３の係合片４８と嵌合可能形状となるように形成してある。
【００２１】
係合部材４３は、適宜長さの略矩形状板材の一側面に係合片４８を突設し、その先端寄りを、突出方向と交差方向に膨出させて上記係止溝４５に嵌合する形状の係合突条４９を形成し、元部には同方向に凹陥して上記係止突条４６と嵌合する形状の係合溝５０を形成してある。
【００２２】
上記第三実施形態のシート材張設具４１を使用したシート材の張設は次のようにして行うのがよい。
係止部材４２の係止片４７と、係合部材４３の係合片４８とを対向させ、その間に下方から上方にシート材１６の端部を介在させ、その状態で係止片４７、係合片４８を係合させ、係止片４７と係合片４８とを噛み合わせれば、シート材１６は両部材に挟持される。このようにして、シート材１６の各四辺部には適宜箇所或いは略全長に亘ってシート材張設具４１を取付けることができる。
シート材の一辺に取付けたシート材張設具４１は、第一実施形態と同様にしてボルトナット７、１７で固定溝１５に取付けることができる。
【００２３】
シート材１６に付加された張力は、図６（Ｂ）において、シート材を照明面方向すなわち固定溝１５の外側方向（開口方向）に引っ張るように作用し、シート材が巻き付いている係合部材４３の係合片４８を固定溝外側方向に引張るように作用するので、該係合片４８は、係合している係止片４７が枠体１４に固定されているため、これにより一層強く係合し、内方側面４７a部分を中心にしてシート材が一層強く挟着されることになる。係合突条４９は係止溝４５に嵌合し、対向した内方側面４７ａと係止突条４７ｂとに係止して抜け外れることがない。
【００２４】
次に、本発明の第四実施形態のシート材張設具について説明する。
図７はシート材張設具の概略斜視図、図８はこのシート材張設具のシート材挟着手順を示した側断面図、図９はシート材張設状態を示した概略断面図である。
この第四実施形態のシート材張設具６１は、係止部材６２及び係合部材６３を備えており、枠体に取付けるための取付部材７０に嵌合させて使用する。
【００２５】
係止部材６２は、適宜長さの折曲板状部材であり、板状基面の一端側をＵ字状に折曲して折返し縁とし、その内側に係止溝６４を形成し、他端部を上記同形係止溝内に突入可能な突縁状の係止突条６５として形成し、板状基面の中間部に食い違い段部６６を形成して上記係止突条６５と係止溝６４とが同軸上に位置するように形成してある。
係合部材６３は、上記係止部材６２と同形部材を上下左右ともに反転した構成のものであり、上記係止溝６４と同様の係合溝６７、係止突条６５と同様の係合突条６８、段部６６と同様の食い違い段部６９を形成してある。
取付部材７０は、適宜長さの型材の一側面に係止部材２と同様にボルト頭を嵌合させて溝口から型材外側方にボルト７のネジ部７ａを突出できるようにしたリップ溝状のボルト頭挟持部としての固定部７１を形成し、その反対側面に張設具嵌合部７２を突設し、該嵌合部７２は、その突設方向に対して交差方向下向きに開口した取付溝７３を有し、開口部の下面先端側に係止突部７４を有して形成してある。取付溝７３は、一対の係止部材６２と係合部材６３を係合させてなるシート材張設具６１を、その長さ方向を溝方向に合わせて溝内に嵌め込んだ状態において、図９に示す如く固定部７１側の内壁部と係止突部７４の内側に該張設具６１が斜めに当接して抜け外れない形態に設定してある。
【００２６】
上記シート材張設具６１を使用してシート材１６を張設するには、以下のようにして行う。
先ず、図８（Ａ）に示すように、シート材１６の一端部分の片面（外側面）に係合部材６３を、その係合突条６８を端方向に向け、係合溝６７の折返し縁を下外側に向けて合わせ、シート材端部をこの係合部材６３を覆うように折返し、次いで同（Ｂ）のように、この覆いシート材部分を挟着するようにして、係止部材６２を係合部材６３に係合させて、係止溝６４に係合突条６８を突入させ、係止突条６５を係合溝６７に突入させる。その上で同（Ｃ）に示すように、係合部材６３、係止部材６２を順に包み込むように半回転させてシート材に包みつけ、この状態で使用することも可能であるが、緩みをより確実に生じさせないように、同（Ｄ）の如くさらに半回転させてシート材に包みつける。
これにより止め具乃至締め具を用いることなく、シート材張設具６１はシート材１６の一端部分に止着できるので、そのままこのシート材張設具６１部分を、図９に示してあるように取付部材７０の取付溝７３内に嵌め込み、係止突部７９に引っ掛かるようにすれば、該部分は抜け外れることなく嵌合部７２に嵌合される。
【００２７】
この状態の取付部材７０を、枠体１４の固定溝１５内に嵌入させ、第一実施態様の場合と同様にすれば、取付部材７０はボルトナット７，１７によって固定溝１５の底部に固定される。シート材１６の対向端部及び他の対向端部の固定も同様である。
シート材１６に張力が付加されれば、図９において、シート材張設具６１部分は下側端部分が係止突部７４に引っ掛かるとともに上側端部分が取付溝７３の内壁部に圧接するので取付溝７３から外れることがなく、シート材が折返し被覆している係止部材６２を押圧して、係止溝６４と係合突条６８を強く突き合わせ、挟着したシート材を強く挟圧着すると同時に、係止突条６５を係合溝６７に強く突き合わせ、挟着したシート材を強く挟圧着し、さらには係合部材６３と取付溝の係止突部７４とを圧接させて、この部分でもシート材を挟圧着するので、シート材がずれたり抜け外れたりするおそれがない。シート材の張設状態は安定する。
【図面の簡単な説明】
【００２８】
【図１】本発明の第一実施形態のシート材張設具と枠体を分解状態で示した概略部分斜視図である。
【図２】図１のシート材張設具を枠体に固定した状態を示した側断面図である。
【図３】（Ａ）〜（Ｃ）は、図１のシート材張設具を使用してシート材を挟着する手順を示した側断面図である。
【図４】図１のシート材張設具を使用してシート材を枠体に張設した状態を示した概略斜視図である。
【図５】本発明の第二実施形態のシート材張設具を示し、（Ａ）はその分解状態の概略部分斜視図、（Ｂ）はシート材張設具を枠体に固定した状態を示した側断面図である。
【図６】本発明の第三実施形態のシート材張設具を示し、（Ａ）はその分解状態の概略部分斜視図、（Ｂ）はシート材張設具を枠体に固定した状態を示した側断面図である。
【図７】本発明の第四実施形態のシート材張設具を分解状態で示した概略分解斜視図である。
【図８】（Ａ）〜（Ｄ）は、図７のシート材張設具を使用してシート材を挟着する手順を示した側断面図である。
【図９】図７のシート材張設具を枠体に固定した状態を示した側断面図である。
【図１０】従来例の照明装置に用いるシート材の端部固定構造を示した側断面図である。
【図１１】別の従来例のシート材の端部固定構造を示した側断面図である。
【符号の説明】
【００２９】
１  シート材張設具
２  係止部材
３  係合部材
４  ボルト頭挟持部
５a・５b  係止溝
６a・６b  係止突条
７  ボルト
７a  ネジ部
８  上方係止片
８a  内方側面
９  下方係止片
９a  内方側面
１０a・１０b  係合溝
１１a・１１b  係合突条
１２  下方係合片
１３  上方係合片
１４  枠体
１４a  枠部
１４b  下方拡開傾斜部
１４c  上面
１４d  連結面
１４e  固定片
１５  固定溝
１５a  底面
１５b  貫通孔
１６  シート材
１７  ナット
１８〜２０  （欠番）
２１  シート材張設具
２２  係止部材
２３  係合部材
２４  ボルト頭挟持部
２５a・２５b  係止溝
２６a・２６b  係止突条
２７  （欠番）
２８  上方係止片
２９  下方係止片
２９a  内方側面
３０a・３０b  係合溝
３１a・３１b  係合突条
３２  下方係合片
３３  上方係合片
３４〜４０  （欠番）
４１  シート材張設具
４２  係止部材
４３  係合部材
４４  ボルト頭挟持部
４５  係止溝
４６  係止突条
４７  係止片
４７ａ  内方側面
４７ｂ  係止突部
４８  係合片
４９  係合突条
５０  係合溝
５１〜６０  （欠番）
６１  シート材張設具
６２  係止部材
６３  係合部材
６４  係止溝
６５  係止突条
６６  食い違い段部
６７  係合溝
６９  係合突条
７０  取付部材
７１  固定部
７２  嵌合部
７３  取付溝
７４  係止突部
１００  フレーム
１０１  取付溝
１０２  シート材
１０３  釘
１０４  掛止部材
１１０  枠体
１１１  支持部材
１１２  シート材
１１３  U型溝部
１１４  把持部材
１１５  ボルト
１１６  バー
【図１】
2005055555.tif 000003
【図２】
2005055555.tif 000004
【図３】
2005055555.tif 000005
【図４】
2005055555.tif 000006
【図５】
2005055555.tif 000007
【図６】
2005055555.tif 000008
【図７】
2005055555.tif 000009
【図８】
2005055555.tif 000010
【図９】
2005055555.tif 000011
【図１０】
2005055555.tif 000012
【図１１】
2005055555.tif 000013